(57)【要約】【課題】簡易な構成で電極間に短絡不良が生じても検出可能とすることができる雨滴センサを提供する。【解決手段】雨滴センサ１２は、該センサ１２の出力端子（端子部１７ａ，１７ｂ）にそれぞれ接続される第１及び第２電極１３，１４と、該第１及び第２電極１３，１４間に１つ又は複数並設される電気的フローティング状態の中間電極１５ａ〜１５ｄとを備えてなる。これにより、雨滴センサ１２の出力端子間には、電極１３，１４，１５ａ〜１５ｄ間毎に構成されるコンデンサＣ１〜Ｃ５が直列に接続された構成となる。【選択図】      図１
2007071718.tif 000002
【特許請求の範囲】
【請求項１】
雨滴付着面を有するガラス体に設けられ、備えられる複数の並設された電極間の静電容量の変化に基づいて前記ガラス体に付着した雨滴の検出を行うための雨滴センサであって、
前記雨滴センサの一方の出力端子に接続される第１電極と、他方の出力端子に接続される第２電極と、前記第１及び第２電極間に所定間隔を有して並設される電気的フローティング状態の中間電極とを備えてなり、前記出力端子間の静電容量の変化に基づいて雨滴検出が行われることを特徴とする雨滴センサ。
【請求項２】
請求項１に記載の雨滴センサにおいて、
前記各電極は、透明電極よりなることを特徴とする雨滴センサ。
【請求項３】
請求項２に記載の雨滴センサにおいて、
前記各電極は、前記ガラス体に取着される透明樹脂フィルム上に形成されてなることを特徴とする雨滴センサ。
【請求項４】
請求項１〜３のいずれか１項に記載の雨滴センサにおいて、
前記各電極は、同一直線形状にて形成されるとともに、互いに平行に配置されてなることを特徴とする雨滴センサ。
【請求項５】
請求項１〜４のいずれか１項に記載の雨滴センサと、
前記雨滴センサの出力端子間の静電容量の変化を検出する静電容量検出手段と、
前記静電容量検出手段の検出に基づいて、前記ガラス体の雨滴付着状態を判定する判定手段と、
を備えることを特徴とする雨滴検出装置。
【請求項６】
請求項５に記載の雨滴検出装置において、
前記静電容量検出手段は、
前記雨滴センサの出力端子間にコイルを並列接続するとともに、該両出力端子間に交流電源を接続して構成される共振回路と、
前記共振回路からの出力に基づいて前記共振回路の共振周波数を検出し、検出した共振周波数から前記雨滴センサの出力端子間の静電容量を検出する静電容量検出回路と、
を備えることを特徴とする雨滴検出装置。
【請求項７】
請求項５又は６に記載の雨滴検出装置において、
前記判定手段は、前記雨滴センサの出力端子間の静電容量が増加傾向にあるとの判定に基づいて、前記ガラス体に雨滴が付着していると判定することを特徴とする雨滴検出装置。
【請求項８】
請求項５〜７のいずれか１項に記載の雨滴検出装置を備え、
前記雨滴検出装置による雨滴付着状態の検出に基づいて、前記ガラス体に付着した雨滴を自動払拭させることを特徴とする車両用ワイパ装置。
【発明の詳細な説明】
【技術分野】
【０００１】
本発明は、車両のウインドガラス（主としてフロントガラス）等のガラス体に付着した雨滴を検出する雨滴センサ、その雨滴センサを用いた雨滴検出装置、及び、その雨滴検出装置を用いた車両用ワイパ装置に関するものである。
【背景技術】
【０００２】
従来、車両のフロントガラスに付着した雨滴を検出し、その雨滴検出に基づいて例えばワイパの払拭動作を自動（払拭動作の開始や払拭速度の変更等）で行うようにしたものが提案されている。
【０００３】
その一つに、発光素子と受光素子とを用いた光学系の雨滴検出装置がある。この雨滴検出装置は、発光素子及び受光素子を車室内に配置し、発光素子をフロントガラスに向けて発光させるとともに、フロントガラスにて反射した反射光を受光素子にて受光し、その受光量に基づいてフロントガラスに雨滴が付着しているか否かを検出するように構成されている。つまり、雨滴が付着している場合、発光素子が発した光がその雨滴により散逸し、反射光の光量が減少することを利用している。
【０００４】
また、発光素子を車室外に配置し、発光素子が発した光をフロントガラスを介して受光素子にて受光し、同様に、その受光量に基づいてフロントガラスに雨滴が付着しているか否かを検出することも考えられている。
【０００５】
しかしながら、光学系の雨滴検出装置はその検知範囲が小さいために雨滴量を正確に検出できない場合があり、このような場合、ワイパの払拭動作が実際の雨滴量に対応しない動作となることがある。つまり、運転者の感覚と異なり、違和感を与えてしまう。また、太陽光等の外乱光と発光素子が発した光との区別を行う必要があり、それに伴って高度な処理が要求されるため、システムが高価となってしまう。しかも、雨滴検出の精度を向上させるべく検知範囲を拡大させようとすると、より一層外乱光の影響を受け、技術的及びコスト的にも困難であった。
【０００６】
これに対し、フロントガラスに一対の透明電極を配置し、対をなす電極間の静電容量の変化に基づいて雨滴を検出するように構成された雨滴検出装置もある（例えば特許文献１，２参照）。
【０００７】
特許文献１，２では、互い違いに組み合わされた櫛歯状パターンの一対の透明電極がフロントガラスに内装されて雨滴センサが構成されている。フロントガラスの雨滴センサに雨滴が付着すると、雨滴が付着していない場合と比べて電極間の静電容量が増加するため（空気よりも水の方が比誘電率εｒ（物質の誘電率εと真空の誘電率ε０との比）が大きいため）、この静電容量の変化量を検出することで、雨滴の検出がされるようになっている。
【特許文献１】特開平５−２６４４９６号公報
【特許文献２】実開平５−６２３６５号公報
【発明の開示】
【発明が解決しようとする課題】
【０００８】
しかしながら、上記雨滴検出装置では、電極間で短絡が生じる場合がある。このように電極間で短絡が生じた場合には、雨滴検出が不能となってしまう。
そこで、このような電極間の短絡不良を考慮して雨滴センサを複数独立して設け、冗長性を持たせることも考えられるが、雨滴センサを複数独立して設けることは、各センサの配置スペースの問題や接続箇所が増加するといった問題が生じ、簡易に行うことが難しかった。
【０００９】
本発明は、上記課題を解決するためになされたものであって、その目的は、簡易な構成で電極間に短絡不良が生じても検出可能とすることができる雨滴センサ、その雨滴センサを用いた雨滴検出装置、及び、その雨滴検出装置を用いた車両用ワイパ装置を提供することにある。
【課題を解決するための手段】
【００１０】
上記課題を解決するために、請求項１に記載の発明は、雨滴付着面を有するガラス体に設けられ、備えられる複数の並設された電極間の静電容量の変化に基づいて前記ガラス体に付着した雨滴の検出を行うための雨滴センサであって、前記雨滴センサの一方の出力端子に接続される第１電極と、他方の出力端子に接続される第２電極と、前記第１及び第２電極間に所定間隔を有して並設される電気的フローティング状態の中間電極とを備えてなり、前記出力端子間の静電容量の変化に基づいて雨滴検出が行われることをその要旨とする。
【００１１】
同構成によれば、第１及び第２電極間に電気的フローティング状態の中間電極を１つ若しくは複数並設することで、隣接する電極間毎にコンデンサがそれぞれ構成されることになり、雨滴センサの出力端子間には電極間毎に構成されるコンデンサが直列に接続された構成となる。これにより、電極間のいずれかで短絡が生じても、該短絡によりその電極間が導通状態となるだけで、残りの電極間のコンデンサにて雨滴検出が可能である。このように第１及び第２電極間に電気的フローティング状態の中間電極を追加するだけの簡易な構成で対応できる。
【００１２】
請求項２に記載の発明は、請求項１に記載の雨滴センサにおいて、前記各電極は、透明電極よりなることをその要旨とする。
同構成によれば、各電極は透明電極にて構成されるため、ガラス体に設けた場合に電極が目立ち難い。特に、車両のウインドガラスに設ける場合では、ウインドガラスの見栄えがよくなるばかりか、運転者の視認性を妨げない。
【００１３】
請求項３に記載の発明は、請求項２に記載の雨滴センサにおいて、前記各電極は、前記ガラス体に取着される透明樹脂フィルム上に形成されてなることをその要旨とする。
同構成によれば、ガラス体に雨滴センサが取着される構成のため、雨滴センサをガラス体に容易に設けることができる。また、電極を形成する樹脂フィルムも透明体であるため、ガラス体に設けた場合に電極とともに樹脂フィルムが目立ち難く、同様に車両のウインドガラスに設ける場合では、ウインドガラスの見栄えがよくなるばかりか、運転者の視認性を妨げない。
【００１４】
請求項４に記載の発明は、請求項１〜３のいずれか１項に記載の雨滴センサにおいて、前記各電極は、同一直線形状にて形成されるとともに、互いに平行に配置されてなることをその要旨とする。
【００１５】
同構成によれば、各電極は、同一直線形状にて形成され互いに平行に配置されるため、各電極の形成を容易とすることができる。また、電極間に構成されるコンデンサの静電容量も同等に設定でき、例えば雨滴センサの後段回路の信号処理が容易となるという利点がある。
【００１６】
請求項５に記載の発明は、請求項１〜４のいずれか１項に記載の雨滴センサと、前記雨滴センサの出力端子間の静電容量の変化を検出する静電容量検出手段と、前記静電容量検出手段の検出に基づいて、前記ガラス体の雨滴付着状態を判定する判定手段と、を備える雨滴検出装置である。
【００１７】
同構成によれば、上記の雨滴センサの出力に基づいてガラス体の雨滴付着状態が判定できるように構成される。つまり、上記の雨滴センサは、簡易な構成で電極間に短絡不良が生じても検出可能なことから、雨滴検出装置の構成の簡素化や信頼性向上に寄与することができる。
【００１８】
請求項６に記載の発明は、請求項５に記載の雨滴検出装置において、前記静電容量検出手段は、前記雨滴センサの出力端子間にコイルを並列接続するとともに、該両出力端子間に交流電源を接続して構成される共振回路と、前記共振回路からの出力に基づいて前記共振回路の共振周波数を検出し、検出した共振周波数から前記雨滴センサの出力端子間の静電容量を検出する静電容量検出回路と、を備えることをその要旨とする。
【００１９】
同構成によれば、雨滴センサの出力端子間にコイルが並列接続されるとともに、該両出力端子間に交流電源が接続されて共振回路が構成される。静電容量検出回路では、共振回路からの出力に基づいて共振回路の共振周波数が検出され、検出した共振周波数から雨滴センサの出力端子間の静電容量が検出される。つまり、コイル及び交流電源を用いた簡単な構成で共振回路を構成でき、しかもその共振回路の共振周波数を検出するだけで、雨滴センサの静電容量を容易に検出できる。
【００２０】
請求項７に記載の発明は、請求項５又は６に記載の雨滴検出装置において、前記判定手段は、前記雨滴センサの出力端子間の静電容量が増加傾向にあるとの判定に基づいて、前記ガラス体に雨滴が付着していると判定することをその要旨とする。
【００２１】
同構成によれば、判定手段では、雨滴センサの出力端子間の静電容量が増加傾向にあるとの判定に基づきガラス体に雨滴が付着していると判定する。つまり、複数の静電容量データを参照して増加傾向にあることを判定することから、外乱ノイズ等を除去でき、雨滴検出を精度良く行うことができる。
【００２２】
請求項８に記載の発明は、請求項５〜７のいずれか１項に記載の雨滴検出装置を備え、前記雨滴検出装置による雨滴付着状態の検出に基づいて、前記ガラス体に付着した雨滴を自動払拭させる車両用ワイパ装置である。
【００２３】
同構成によれば、ガラス体、この場合、車両のウインドガラスであり、特にフロントガラスにおいて雨滴付着が検出されると、該フロントガラスに付着した雨滴がワイパ装置により自動払拭される。このような自動払拭のワイパ装置に適用する意義は大きい。
【発明の効果】
【００２４】
従って、本発明によれば、簡易な構成で電極間に短絡不良が生じても検出可能とすることができる雨滴センサ、その雨滴センサを用いた雨滴検出装置、及び、その雨滴検出装置を用いた車両用ワイパ装置を提供することができる。
【発明を実施するための最良の形態】
【００２５】
以下、本発明を具体化した一実施の形態を図面に従って説明する。
図１に示すように、車両のフロントガラス１０には、本実施の形態の雨滴検出装置１１を構成する雨滴センサ１２が配設されている。雨滴センサ１２は、フロントガラス１０の室内側面の所定位置、本実施の形態ではワイパ払拭エリアの下縁部に対応した位置に配置されている。
【００２６】
雨滴センサ１２は、第１電極１３と、第２電極１４と、第１及び第２電極１３，１４間に所定間隔を有して並設される４本の中間電極１５ａ〜１５ｄとを有している。これら第１電極１３、第２電極１４、及び、各中間電極１５ａ〜１５ｄは、ＩＴＯ（インジウム錫酸化物）からなる透明電極にて構成され、長方形板状の透明樹脂フィルム１６の一平面上に形成されている。
【００２７】
図２に示すように、第１，第２電極１３，１４は、幅Ｗに対して長さＬが十分に大きい長方形板状をなし断面も長方形状をなしている電極本体１３ａ，１４ａと、該電極本体１３ａ，１４ａの長手方向中央部から幅方向の一方に延出される接続部１３ｂ，１４ｂとをそれぞれ有している。第１，第２電極１３，１４は、各電極本体１３ａ，１４ａが互いに平行で、各接続部１３ｂ，１４ｂが外側を向くようにして配置されている。因みに、透明樹脂フィルム１６には、接続部１３ｂ，１４ｂと対応する位置において該接続部１３ｂ，１４ｂと接続し、かつ裏面側（電極１３，１４，１５ａ〜１５ｄが形成される面とは反対の面）に露出するように（図１参照）、導体よりなる外部接続用の端子部１７ａ，１７ｂが設けられている。
【００２８】
４本の中間電極１５ａ〜１５ｄは、それぞれ幅Ｗに対して長さＬが十分に長い長方形板状をなし断面も長方形状をなし、第１，第２電極１３，１４の電極本体１３ａ，１４ａと同寸法（同長さ、同幅、同厚さ）で構成されている。各中間電極１５ａ〜１５ｄは、第１，第２電極１３，１４間において該電極１３，１４（電極本体１３ａ，１４ａ）と平行で、隣接する電極１３，１４，１５ａ〜１５ｄと幅方向に一定の間隔Ｓを有して並設されている。中間電極１５ａ〜１５ｄは、他の導体と接続されない電気的フローティング状態となっている。
【００２９】
つまり、本実施の形態の雨滴センサ１２は、第１，第２電極１３，１４の電極本体１３ａ，１４ａと中間電極１５ａ〜１５ｄとを平行に配置して隣接する導体間にそれぞれコンデンサＣ１〜Ｃ５を構成し、図３に示すように、外部接続用の端子部１７ａ，１７ｂ間に５つのコンデンサＣ１〜Ｃ５が直列接続されるように構成されている。
【００３０】
因みに、長方形板状の第１，第２電極１３，１４の電極本体１３ａ，１４ａ及び中間電極１５ａ〜１５ｄを同体積の円棒状の導体とした場合、その導体の直径を「ａ」、導体間距離を「ｄ」として平行に配置した際（但し、ｄ＞５ａ）の単位長さ当たりの静電容量Ｃは、次式［１］の、
【００３１】
【数１】
2007071718.tif 000003
で表される。因みに、「εｒ」は導体間に存在する物質の比誘電率（真空の誘電率ε０との比）である。
【００３２】
また、本実施の形態では、第１，第２電極１３，１４の電極本体１３ａ，１４ａと中間電極１５ａ〜１５ｄとを同形状とし、各コンデンサＣ１〜Ｃ５の静電容量Ｃが略等しくなるように構成している。従って、雨滴センサ１２全体の静電容量Ｃｘは、個々のコンデンサＣ１〜Ｃ５の静電容量Ｃの約１／５となる（Ｃｘ＝Ｃ／５）。
【００３３】
このような構成の雨滴センサ１２は、透明樹脂フィルム１６の各電極１３，１４，１５ａ〜１５ｄが形成される面をフロントガラス１０の室内側面に対向させ、該フロントガラス１０の所定位置に貼着されている。この場合、例えば各電極１３，１４，１５ａ〜１５ｄの長手方向がフロントガラス１０の上下方向に向くようにして配置されている。
【００３４】
図４に示すように、雨滴検出装置１１は、共振回路２１、静電容量検出回路２２、及び、雨滴検出回路２３を備えてなる。
共振回路２１は、前記雨滴センサ１２、コイル２４、及び、交流電源２５で構成されている。雨滴センサ１２、即ち直列接続されてなる５つのコンデンサＣ１〜Ｃ５群は一方の出力端子（前記端子部１７ａ）が接地され、他方の出力端子（前記端子部１７ｂ）他端が静電容量検出回路２２に接続されている。また、この雨滴センサ１２の両出力端子間には１つのコイル２４が並列に接続されるとともに、同じく両出力端子間には交流電源２５が接続される。交流電源２５は、供給する電源の周波数を所定範囲内で徐々に変化させて供給する。
【００３５】
静電容量検出回路２２は、交流電源２５からの電源供給に基づく共振回路２１からの出力電圧Ｖが入力される。静電容量検出回路２２は、その出力電圧Ｖのピーク値に基づいて共振回路２１の共振周波数ｆ０を検出し（図５参照）、検出した共振周波数ｆ０と前記コイル２４のインダクタンスとを用いて次式［２］より雨滴センサ１２全体の静電容量Ｃｘを算出する。
【００３６】
【数２】
2007071718.tif 000004
雨滴検出回路２３は、算出された全静電容量Ｃｘに基づいてフロントガラス１０表面（雨滴付着面）の雨滴付着状態を判定する。本実施の形態の雨滴検出回路２３は、タイマ２３ａ及びメモリ２３ｂを備えており、タイマ２３ａにて所定時間を計時し、所定時間毎に得られる全静電容量Ｃｘをデータとして順次メモリ２３ｂに格納する。そして、本実施の形態の雨滴検出回路２３は、今回得た全静電容量Ｃｘデータと、メモリ２３ｂ内に格納されている過去の複数の全静電容量Ｃｘデータとを用い、増加傾向（例えば所定個のデータが連続して増加）にあると判定した場合、フロントガラス１０表面に雨滴が付着していると判定する。
【００３７】
ここで、図１に示すように、フロントガラス１０における第１，第２電極１３，１４の電極本体１３ａ，１４ａ及び中間電極１５ａ〜１５ｄのいずれかの間に雨滴が付着すると、同図１にて一点鎖線で示す電気力線上において、空気よりも比誘電率εｒが大きい水（雨滴）が配置される。上記式［１］から、雨滴が付着した例えば図１において電極１５ａ〜１５ｄ間に構成されるコンデンサＣ２〜Ｃ４の静電容量Ｃは増加し、全静電容量Ｃｘも増加する。従って、雨滴検出回路２３は、全静電容量Ｃｘが増加傾向となると、フロントガラス１０に雨滴が付着していると判定する。因みに、図６に示すように、全静電容量Ｃｘの大きさと雨滴量とは比例関係にあるため、今回得た全静電容量Ｃｘに基づいてフロントガラス１０表面に付着した雨滴の量も検出される。
【００３８】
また、雨滴センサ１２において、電極１３，１４，１５ａ〜１５ｄ間のいずれかで短絡が生じる場合がある。例えば電極１５ｄ，１４間の一箇所で短絡が生じてコンデンサＣ５が導通状態となった場合には（図３参照）、残り４つのコンデンサＣ１〜Ｃ４が直列に接続された状態となる。これにより、全静電容量Ｃｘは、個々のコンデンサＣ１〜Ｃ５の静電容量Ｃの約１／４となる（Ｃｘ＝Ｃ／４）。つまり、静電容量検出回路２２で検出する全静電容量Ｃｘは、図６に示すように、大側に全体的にオフセットする。雨滴検出回路２３では、雨滴付着状態の検出を全静電容量Ｃｘの増加傾向に基づいて行う構成のため、短絡が生じてもそのまま検出が可能である。一方、雨滴量と全静電容量Ｃｘの大きさとの対応関係が若干変わってくるため、本実施の形態の雨滴検出回路２３は、検出した全静電容量Ｃｘがオフセットしたことを検出し、そのオフセット分を補正して雨滴量の検出を行うようになっている。こうして、電極１３，１４，１５ａ〜１５ｄ間のいずれかで短絡が生じても、雨滴検出が可能に構成されている。
【００３９】
そして、このように構成される雨滴検出装置１１は、本実施の形態では、フロントガラス１０表面を払拭するワイパ装置２６に用いられている。雨滴検出装置１１は、フロントガラス１０表面への雨滴の付着を検出しその雨滴量が所定値以上になると、ワイパ制御回路２７にフロントガラス１０表面の払拭指令を出力する。ワイパ制御回路２７は、その払拭指令に基づいてワイパモータ２８を作動させ、車両ワイパ（図示略）によるフロントガラス１０表面の払拭動作を行う。因みに、ワイパ装置２６が払拭速度を選択可能に構成されている場合、雨滴検出装置１１では雨滴量も検出可能であることから、その雨滴量に対応した払拭速度を選択することもできる。
【００４０】
そして、ワイパ装置２６の払拭動作が行われると、本実施の形態では雨滴センサ１２がワイパ払拭エリア内に位置していることから、フロントガラス１０表面に付着した雨滴量が減少したことを検出する。雨滴検出装置１１は、この雨滴量の減少に基づき、払拭動作を停止させるか、継続させるかの判定を行い、その判定結果をワイパ制御回路２７に出力する。ワイパ制御回路２７は、その判定結果に基づいて、払拭動作の停止若しくは継続させるべくワイパモータ２８を制御する。このように本実施の形態のワイパ装置２６は、雨滴検出装置１１を用いて自動払拭を行うようになっている。
【００４１】
次に、本実施の形態の特徴的な作用効果を記載する。
（１）本実施の形態の雨滴センサ１２は、第１及び第２電極１３，１４間に電気的フローティング状態の中間電極１５ａ〜１５ｄが複数並設され、これにより隣接する電極１３，１４，１５ａ〜１５ｄ間毎にコンデンサＣ１〜Ｃ５がそれぞれ構成されてなる。この場合、雨滴センサ１２の出力端子間（端子部１７ａ，１７ｂ間）には、電極１３，１４，１５ａ〜１５ｄ間毎に構成されるコンデンサＣ１〜Ｃ５が直列に接続された構成となる。これにより、電極１３，１４，１５ａ〜１５ｄ間のいずれか、例えば電極１５ｄ，１４間の一箇所で短絡が生じても、該短絡によりその電極１５ｄ，１４間が導通状態となるだけで、残りの電極１３，１５ａ〜１５ｄ間のコンデンサＣ１〜Ｃ４にて雨滴検出が可能である。このように第１及び第２電極１３，１４間に電気的フローティング状態の中間電極１５ａ〜１５ｄを追加するだけの簡易な構成で対応することができる。
【００４２】
また、このような雨滴センサ１２を用いる雨滴検出装置１１では、構成の簡素化や信頼性向上に寄与することができる。更に、このような雨滴検出装置１１を、自動払拭のワイパ装置２６に適用する意義は大きい。
【００４３】
（２）各電極１３，１４，１５ａ〜１５ｄは透明電極にて構成されるため、フロントガラス１０に設けた場合に電極が目立ち難い。特に、本実施の形態のようにフロントガラス１０に設ける場合では、フロントガラス１０の見栄えがよくなるばかりか、運転者の視認性を妨げない。
【００４４】
（３）各電極１３，１４，１５ａ〜１５ｄを透明樹脂フィルム１６上に形成して雨滴センサ１２を構成し、該雨滴センサ１２をフロントガラス１０に取着する構成としているため、例えばフロントガラス１０に雨滴センサを直接構成する態様と比べて、雨滴センサ１２をフロントガラス１０に容易に設けることができる。また、該樹脂フィルム１６も透明体であるため、フロントガラス１０に設けた場合に電極１３，１４，１５ａ〜１５ｄとともに樹脂フィルム１６が目立ち難く、上記と同様にフロントガラス１０の見栄えがよくなり、運転者の視認性を妨げない。
【００４５】
（４）各電極１３，１４（この場合、電極本体１３ａ，１４ａ），１５ａ〜１５ｄは、同一直線形状にて形成され互いに平行に配置されるため、各電極１３，１４，１５ａ〜１５ｄの形成を容易とすることができる。また、電極１３，１４，１５ａ〜１５ｄ間に構成されるコンデンサＣ１〜Ｃ５の静電容量Ｃも同等に設定でき、後段に設けられる回路２２，２３の信号処理が容易となる。
【００４６】
（５）雨滴センサ１２の出力端子間（端子部１７ａ，１７ｂ間）にコイル２４が並列接続されるとともに、該両出力端子間に交流電源２５が接続されて共振回路２１が構成される。静電容量検出回路２２では、共振回路２１からの出力電圧Ｖに基づいて共振回路２１の共振周波数ｆ０が検出され、検出した共振周波数ｆ０から雨滴センサ１２の全静電容量Ｃｘが検出される。つまり、コイル２４及び交流電源２５を用いた簡単な構成で共振回路２１を構成でき、しかもその共振回路２１の共振周波数ｆ０を検出するだけで、雨滴センサ１２の静電容量Ｃｘを容易に検出することができる。
【００４７】
（６）雨滴検出回路２３では、雨滴センサ１２の全静電容量Ｃｘが増加傾向にあるとの判定に基づきフロントガラス１０に雨滴が付着していると判定する。つまり、複数の静電容量Ｃｘデータを参照して増加傾向にあることを判定することから、外乱ノイズ等を除去でき、雨滴検出を精度良く行うことができる。
【００４８】
尚、本発明の実施の形態は、以下のように変更してもよい。
・上記実施の形態では、各電極１３，１４（この場合、電極本体１３ａ，１４ａ），１５ａ〜１５ｄを同一直線形状とし互いに平行に配置したが、例えば電極毎に形状を異ならしてもよい。また、電極同士が完全に平行でなくてもよい。また、各電極の形状は直線形状に限らず、適宜変更してもよい。
【００４９】
例えば、図７に示すように、第１電極１３と第２電極１４との間に１本の中間電極１５ａを所定間隔を有して平行に配置し、これら各電極１３，１４，１５ａを略長方形の渦巻き状（図７では約２周程度の渦巻き状）に構成してもよい。これにより、第１，第２電極１３，１４の外部接続用の端子部１７ａ，１７ｂ間には２つのコンデンサＣ１，Ｃ２が直列接続されるように構成され、電極１３，１５ａ間及び電極１４，１５ａ間のいずれかで短絡が生じても、残りの電極間に構成されるコンデンサにて雨滴検出が可能である。そして、このように各電極１３，１４，１５ａを渦巻き状とすることで、各電極の長さを確保しつつもセンサの面積を極力小さく抑えることができ、配線も容易である。尚、渦巻き形状は、長方形（四角形）以外の多角形状や円形状であってもよく、渦巻く長さも約２周に限らず適宜変更してもよい。
【００５０】
・上記実施の形態では、第１及び第２電極１３，１４間の中間電極１５ａ〜１５ｄを４つとしたが、１〜３若しくは５以上としてもよい。
・上記実施の形態では、各電極１３，１４，１５ａ〜１５ｄを透明電極にて構成したが、透明電極でなくてもよい。また、透明樹脂フィルム１６においても、透明以外のフィルムを使用してもよい。
【００５１】
・上記実施の形態では、電極１３，１４，１５ａ〜１５ｄを透明樹脂フィルム１６上に形成して雨滴センサ１２を構成し、該雨滴センサ１２をフロントガラス１０に取着（貼着）する構成としたが、フロントガラス１０に各電極１３，１４，１５ａ〜１５ｄを直接形成して雨滴センサを構成してもよい。
【００５２】
・上記実施の形態では、雨滴センサ１２を含んで共振回路２１を構成し、該共振回路２１の共振周波数ｆ０に基づいて雨滴センサ１２の全静電容量Ｃｘを検出したが、共振回路２１以外の回路で雨滴センサ１２の全静電容量Ｃｘを検出する構成としてもよい。
【００５３】
・上記実施の形態では、雨滴検出回路２３のタイマ２３ａ及びメモリ２３ｂを用い、雨滴センサ１２の全静電容量Ｃｘが増加傾向にあるとの判定に基づいてフロントガラス１０に雨滴が付着していると判定したが、雨滴付着の判定はこれに限らず、適宜変更してもよい。
【００５４】
・上記実施の形態では、雨滴センサ１２をフロントガラス１０のワイパ払拭エリア内に対応する位置に取り付けたが、雨滴センサ１２をワイパ払拭エリア外に配置してもよい。また、雨滴センサ１２をフロントガラス１０に対応する位置に取り付け、該フロントガラス１０表面の雨滴検出を行ったが、フロントガラス１０以外の車両のウインドガラスに取り付けてもよい。
【００５５】
・上記実施の形態では、自動払拭のワイパ装置２６に雨滴検出装置１１（雨滴センサ１２）を用いたが、ワイパ装置２６以外で車両に搭載される装置や、車両以外の装置に用いてもよい。
【図面の簡単な説明】
【００５６】
【図１】車両のフロントガラスにおいて本実施の形態の雨滴センサを取着した部分の断面図である。
【図２】雨滴センサの平面図である。
【図３】雨滴センサの電気的構成図である。
【図４】雨滴検出装置を備えたワイパ装置を説明するブロック図である。
【図５】共振周波数と出力電圧との関係を説明するための図である。
【図６】雨滴量と静電容量との関係を説明するための図である。
【図７】別例における雨滴センサの平面図である。
【符号の説明】
【００５７】
１０…ガラス体としてのフロントガラス、１１…雨滴検出装置、１２…雨滴センサ、１３…第１電極、１４…第２電極、１５ａ〜１５ｄ…中間電極、１６…透明樹脂フィルム、１７ａ，１７ｂ…出力端子としての端子部、２１…静電容量検出手段を構成する共振回路、２２…静電容量検出手段を構成する静電容量検出回路、２３…判定手段としての雨滴検出回路、２４…コイル、２５…交流電源、２６…ワイパ装置。
【図１】
2007071718.tif 000005
【図２】
2007071718.tif 000006
【図３】
2007071718.tif 000007
【図４】
2007071718.tif 000008
【図５】
2007071718.tif 000009
【図６】
2007071718.tif 000010
【図７】
2007071718.tif 000011